(57)【要約】【課題】本発明は、入力した画像の一部分に対して補正処理を円滑、且つ容易に行えることのできる画像処理装置を提供することを課題とする。【解決手段】入力されて表示された画像に対し、補正処理可能に構成された画像処理装置において、前記表示された画像に重ね合わされて表示される補正用レイヤーを有し、該補正用レイヤーは、前記画像における補正対象部分を視認できるように構成された透過領域と、前記画像における非補正対象部分上に重ね合わされる重合領域とで構成され、前記透過領域は、該領域内の前記画像の補正処理が可能に構成される一方、前記重合領域は、該領域内の画像の補正処理を拒否するように構成され、しかも、前記透過領域と重合領域との境界が変形可能に構成されてなることを特徴とする。【選択図】　　　　　図１
2004146912.tif 000002
【特許請求の範囲】
【請求項１】
入力された複数の原画像を一画面で表示して出力形態を予め確認できるように構成されるとともに、各原画像に対して付属画像を合成処理できるように構成された画像処理装置において、前記一画面で表示される複数の原画像のうち、合成処理の対象とされた原画像が、付属画像と合成された状態で表示されるように構成されてなることを特徴とする画像処理装置。
【請求項２】
前記一画面に表示される複数の原画像のうち、合成処理の対象とされる原画像を選択可能に構成されてなる請求項１記載の画像処理装置。
【請求項３】
前記付属画像が複数種類用意されるとともに、該複数種類の付属画像から所望する付属画像を原画像毎に選択できるように構成されてなる請求項１又は２記載の画像処理装置。
【請求項４】
前記付属画像は、前記原画像と合成して得られる合成画像の外周縁部を形成するフレーム枠に設定されてなる請求項１乃至３の何れかに記載の画像処理装置。
【請求項５】
文字入力可能に構成されるとともに、前記付属画像が、入力された文字による文字画像で構成されてなる請求項１乃至４の何れかに記載の画像処理装置。
【発明の詳細な説明】
【０００１】
【発明の属する技術分野】
本発明は、読み取った画像に画像処理を施し、該画像処理後の画像を出力する画像処理装置に関する。
【０００２】
【従来の技術】
近年、デジタル化が進み、スキャナー装置で読み取った写真フィルムのコマ画像（原画像）や、デジタルカメラで撮影してメディアに記憶された原画像に、補正処理（色補正や濃淡補正等）や、予め用意されたフレーム枠からなる付属画像を合成する合成処理等のデジタル画像処理を施し、その画像を出力（プリントやメディアに記憶）する画像処理装置が提供されつつある。
【０００３】
かかる画像処理装置は、写真フィルムの原画像を読み取るスキャナー装置、メディアに対して画像データを読み書きするメディアドライブを備えたパーソナルコンピュータ（以下、パソコンという）、及び読み取った原画像等を表示するディスプレイ等から構成されている。
【０００４】
この画像処理装置でデジタル画像処理を行うに際し、まず、写真フィルムやメディアから複数の画像が読み取られる。そして、読み取った画像に対して、付属画像（出力時に原画像の外周縁部を形成するフレーム等）を合成するか否か（原画像に対して付属画像を設定するか否か）を選択し、合成処理を行うことを選択した場合には、パソコン内部で原画像と付属画像とを合成する合成処理が行われる。また、プリントや、メディアへの記憶等により出力される原画像の状態の確認、及び複数の原画像のそれぞれに必要な色補正や濃淡補正等の補正処理を行うべく、複数の原画像は、ジャッジ画面の一画面にマトリックス状に整列表示される。
【０００５】
この状態で、オペレーターがジャッジ画面に表示された複数の原画像の中から、補正処理を施す必要のある原画像を選択し、該原画像に対して各種の補正手続きを行うと、パソコン内部で各種補正処理が実行され、ジャッジ画面上の各原画像は、補正が反映された状態で表示される。なお、原画像の出力は、ジャッジ画面にて原画像の状態を確認した後に行えるように、このジャッジ画面から実行できるようになっている。
【０００６】
そして、ジャッジ画面に表示された原画像の詳細部分の確認、補正、及びパソコン内部で行われた合成処理による原画像の合成状態を確認する場合には、ジャッジ画面上の複数の原画像の中から、確認を必要とする原画像を一枚選択することで、その原画像が拡大画面にて出力時における形態で拡大表示される。つまり、拡大画面は、補正後の原画像が付属画像と合成された合成画像として拡大表示される。これにより、オペレーターは、補正後の合成画像を出力として得る画像と同等の状態で確認することができ、出力時の原画像を満足なものにすることができる。そして、この拡大画面において詳細な補正を行った後に、原画像のみが表示されるジャッジ画面に戻って原画像の最終確認を行い、各原画像が出力されることとなる。
【０００７】
【発明が解決しようとする課題】
しかしながら、前述の如く、ジャッジ画面は、出力される原画像の補正状態を確認する画面であるため、ジャッジ画面では、原画像（補正後の原画像）のみが表示され、原画像に対する付属画像の設定状態、すなわち実際に出力される原画像の形態を確認することができなかった。
【０００８】
このため、合成処理を必要としない原画像が付属画像との合成画像で出力されたり、合成処理を必要としているにも拘わらず、付属画像と合成されていない原画像（補正後の原画像）で出力されたりしてしまい、所望する形態と異なる画像を出力してしまう場合があった。一方、そのような不具合を無くすために、各原画像毎の拡大表示を実行するとなれば、作業が煩雑であり生産性を低下させてしまう。
【０００９】
そこで、本発明は、斯かる実情に鑑み、入力した原画像を出力する前に、該原画像の出力形態を容易且つ確実に確認することができ、原画像が所望する形態と異なった形態で出力されるのを防止することのできる画像処理装置を提供することを課題とする。
【００１０】
【課題を解決するための手段】
本発明にかかる画像処理装置は、請求項１記載の如く、入力された複数の原画像を一画面で表示して出力形態を予め確認できるように構成されるとともに、各原画像に対して付属画像を合成処理できるように構成された画像処理装置において、前記一画面で表示される複数の原画像のうち、合成処理の対象とされた原画像が、付属画像と合成された状態で表示されるように構成されてなることを特徴とする。なお、ここで原画像とは、入力時の状態を維持した画像の他に、入力された画像に対し色補正や濃淡補正の施された補正後の画像を含む概念であり、また、付属画像とは、予め用意された画像や、原画像とは別に入力された画像であり、出力される画像の外周縁部を形成するフレーム枠、ワンポイント的なキャラクター、予め設定された定型文や文字入力により得た文字等の画像をいう。
【００１１】
上記構成の画像処理装置によれば、複数の原画像の出力形態を予め確認すべく、一画面に表示される複数の原画像のうち、合成処理の対象とされた原画像が、付属画像と合成された状態で表示されるので、オペレーターが、一画面上に表示された全ての原画像の出力形態を容易、且つ確実に確認することができる。したがって、出力される原画像が、所望する形態と異なった形態で出力されるのを防止することができる。
【００１２】
また、請求項２記載の如く、前記一画面に表示される複数の原画像のうち、合成処理の対象とされる原画像を選択可能に構成されてもよい。このようにすれば、一画面に表示される複数の原画像のうち、所望する原画像にのみに付属画像を合成させることができる。
【００１３】
さらに、請求項３記載の如く、前記付属画像が複数種類用意されるとともに、該複数種類の付属画像から所望する付属画像を原画像毎に選択できるように構成されてもよい。このようにすれば、複数の原画像のそれぞれを、種類の異なる付属画像と合成させた状態で一画面上に表示させることができる。したがって、原画像に合成された付属画像の種類毎に出力形態を確認する必要がないので、種類の異なる付属画像と合成された各々の原画像を一度で確認することができ、作業性の向上を図ることができる。
【００１４】
また、請求項４記載の如く、前記付属画像は、前記原画像と合成して得られる合成画像の外周縁部を形成するフレーム枠に設定されてもよい。このようにすれば、合成画像の外周縁部に形成されたフレーム枠の有無を確認することができ、出力される画像が、所望する画像の形態と異なった形態となるのを防止することができる。その上、原画像をフレーム枠で装飾することができ、出力される原画像に付加価値を付けることができる。
【００１５】
なお、ここで「フレーム枠」とは、単一な枠形状のものや、単一色で構成されたものに限定されるものではなく、所定形状にデザインされたものも含むものであり、例えば、キャラクターと枠形状のものとが一体的に形成されたようなものも含む概念である。また、「合成画像の外周縁部を形成」とは、所定サイズの原画像の外周縁部にフレーム枠を重ね合わせたり、所定サイズで出力される画像に対し、フレーム枠を除いたサイズに原画像を縮小し、該原画像にフレーム枠を嵌め合わせたりして合成画像の外周縁部を形成することを含む概念である。
【００１６】
さらに、請求項５記載の如く、文字入力可能に構成されるとともに、前記付属画像が、入力された文字による文字画像で構成されてもよい。このようにすれば、原画像とともに出力される文字画像の出力形態を予め確認することができ、入力した文字に対する誤記等を発見することができる。その上、原画像とともに、所望する文字（任意の文字情報）が文字画像として出力されるので、出力された原画像に付加価値を付けることができる。
【００１７】
【発明の実施の形態】
以下、本発明の一実施形態にかかる画像処理装置について、添付図面を参酌しつつ説明する。なお、本実施形態にかかる画像処理装置は、露光処理装置、現像処理装置、及び乾燥処理装置等に接続され、アナログカメラやデジタルカメラで撮影した画像を写真としてプリントする写真処理装置のコンポーネントとして採用されるものである。
【００１８】
かかる画像処理装置は、図１に示す如く、写真フィルムＦからコマ画像（原画像）を読み取るスキャナー装置１と、メディアに対して画像データを読み書きする複数のメディアドライブ２を備えた汎用のパーソナルコンピュータ３（以下、単にパソコンという）と、該パソコン３を操作する入力手段４と、前記スキャナー装置１又はメディアドライブ２から読み込んだ画像データに基づく画像や、パソコン３の操作に関する操作用の画面等を表示するディスプレイ５と、これらを支持する支持本体６とで構成されている。
【００１９】
前記スキャナー装置１は、帯状の写真フィルムＦを搬送する搬送機構（図示しない）と、写真フォルムＦの原画像を読み取る撮像素子（図示しない）とを備えている。該スキャナー装置１は、写真フィルムＦを装入すべく形成された装入口（図示しない）から写真フィルムＦを装入することで、該写真フィルムＦが搬送機構によって長手方向に搬送されるとともに、前記撮像素子によって、順次原画像を読み取る様に構成されている。また、該スキャナー装置１は、ケーブル（図示しない）を介して、前記パソコン３に接続されており、撮像素子によって読み取った画像の画像データがパソコン３に送られるようになっている。
【００２０】
前記パソコン３は、ＣＤ（ＣＤ―Ｒ／ＲＷ）、ＤＶＤ、ＦＤ（フレキシブルディスク）、ＭＯ（光磁気ディスク）といった複数種類のメディアに対してデータの読み書きが可能な複数のメディアドライブ２、ＣＰＵ（図示しない）、ＲＯＭやＲＡＭ等の記憶装置（図示しない）、Ｉ／Ｏインターフェイス（図示しない）等が内装されており、これらのそれぞれは、バス（図示しない）を介して互いに接続されている。該パソコン３は、上記メディアドライブ２で対応することのできないメディアに対応すべく、コンパクトフラッシュメモリ、ＰＣカード、ＳＤカード等のメディアに対応した外付メディアドライブ７が接続されている。
【００２１】
前記記憶装置には、読み取った原画像の色調や濃淡等の補正、及び読み取った原画像と他の画像とを合成するアプリケーションソフトがインストールされており、さらに、読み取った原画像と合成する他の画像として、付属画像が記憶されている。
【００２２】
前記アプリケーションソフトは、該画像処理装置が写真処理装置のコンポーネントとして組み込まれた際に、写真処理装置全体を制御するようにもプログラムされている。
【００２３】
前記付属画像は、出力としてのプリントにおける画像の外周縁部を形成するフレーム枠に設定されている。該フレーム枠は、該画像処理装置を設置する場所（例えば、観光名所）に対応してデザインを施したものが複数種類用意されている。なお、撮影した原画像は、縦横比の横方向が長い横構図のものと、縦横比の縦方向が長い縦構図のものとがあるため、それぞれの種類のフレーム枠は、更に横構図用のフレーム枠、及び縦構図用のフレーム枠の二種類が用意されている。
【００２４】
該パソコン３及び外付メディアドライブ７は、メディアの装入が可能、且つＩ／Ｏインターフェイスに外部からの入出力ケーブル（例えば、スキャナー装置１、ディスプレイ５に接続されるケーブル）が接続可能な状態で筐体８に内装されて前記支持本体６の後述する載置板９に支持されている。
【００２５】
前記入力手段４は、パソコン３の操作を行うパソコン専用キーボード１０、マウス１１、及びショートカット用キーボード１２とが用意されている。パソコン専用キーボード１０、マウス１１及びショートカット用キーボード１２のそれぞれは、ケーブル（図示しない）を介してパソコン３のＩ／Ｏインターフェイスに接続されている。前記パソコン専用キーボード１０は、文字入力可能に構成されている。
【００２６】
前記ディスプレイ５は、ＣＲＴディスプレイであり、上述の如く、パソコン３にケーブル接続されている。該ディスプレイ５は、該画像処理装置の操作を行う操作画面や、入力された原画像の出力時における状態を予め確認するジャッジ画面等を表示するために設けられている。
【００２７】
前記支持本体６は、前記スキャナー装置１、パソコン３、入力手段４、及びディスプレイ５を、人間工学的に操作性を重視した配置に出来るように構成された機能型パソコンデスクである。該支持本体６は、前記スキャナー装置１、入力手段４、及びディスプレイ５が配置される天板１３と、該天板１３を支持する支持体１４と、該支持体１４の側部に取り付けられ、メディアドライブ２及び外付メディアドライブ７が、天板１３上のディスプレイ５の画面と略同等の高さになるように、前記パソコン３が配置される前記載置板９とで構成されている。
【００２８】
前記支持体１４は、略角形の箱体からなる収容部１５を備えており、該収容部１５の内部には、該画像処理装置を写真処理装置のコンポーネントとして露光処理装置等に接続した際に、パソコン３を補助する制御装置（図示しない）が内装されている。
【００２９】
次に、以上構成からなる画像処理装置による画像処理について説明する。まず、パソコン３（記憶装置）にインストールされたアプリケーションソフトがＣＰＵにより実行されることにより、ディスプレイ５の画面に図２に示す操作画面１６が表示される。原画像を写真フィルムＦから読み取るか、メディアから読み取るかを選択する操作画面１６上に設けられた選択ボタン１７（図２において「入力」と記載されたボタン）を前記マウス１１の動きと連動して表示されるマウスポインタＰ（図示しない）で押し（クリックし）、写真フィルム又はメディアの何れから画像を読み取るかを決定する（図２においては写真フィルム（カラーネガ）に設定されている）。
【００３０】
そして、原画像の読み取り対象が写真フィルムＦで場合には、前記スキャナー装置１に帯状の写真フィルムＦを挿入することで、写真フィルムＦが搬送機構によって搬送されるとともに、該写真フィルムＦに形成された複数の原画像が撮像素子によって画像データとして読み取られ、パソコン３に該画像データが入力される。
【００３１】
一方、原画像の読み取り対象がメディアである場合には、パソコン３のメディアドライブ２、又は外付メディアドライブ７によって、メディアに記憶された原画像の画像データが読み込まれパソコン３に入力される。
【００３２】
そして、フレーム枠の種類を選択する操作画面１６上のフレーム選択ボタン１８（図２において「フレーム」と記載されたボタン）をマウスポインタＰでクリックし、所望する種類（デザイン）のフレーム枠を選択する。前記フレーム選択ボタン１８は、マウスポインタＰで繰り返し押すことで、フレーム枠の種類が切り替わるようになっており、該フレーム選択ボタン１８の下方には、選択したフレーム枠のプレビュー１９が表示されるようになっている。
【００３３】
その後、選択したフレーム枠と合成する原画像の選択を行うべく、操作画面１６上のジャッジ画面切替用ボタン２０（図２において「ＰＪＰ」と記載されたボタン）をマウスポインタＰでクリックして選択すると、操作画面１６から図３に示すジャッジ画面２１に切り替わる。該ジャッジ画面２１は、読み込んだ複数（本実施形態においては六枚）の原画像２２のそれぞれが、一画面で一緒にマトリックス状をなして表示されるように構成されている。なお、本実施形態においては、ジャッジ画面２１の一画面に表示される原画像２２の枚数は、６枚に設定されているが、この他に現状においては４枚表示、及び４０枚表示の設定のものがある。
【００３４】
そして、操作画面１６で選択したフレーム枠と合成することを所望する原画像２２をマウスポインタＰでクリックして選択すると、その選択された原画像２２が、パソコン３内部で、前記操作画面１６で選択した種類のフレーム枠と合成され、図４に示す如く、その原画像２２は、フレーム枠２３ａと合成された状態、すなわち第一合成画像２４となって表示される。
【００３５】
そして、該第一合成画像２４以外の原画像２２に対し、先に選択したフレーム枠２３ａと異なる種類のフレーム枠と合成したい場合には、操作画面１６に戻るように設定されたリターンボタン２５をマウスポインタＰでクリックして操作画面１６（図２）に戻り、先のフレーム枠２３ａの選択時と同様に、フレーム選択ボタン１８をクリックして所望する種類のフレーム枠を選択する。この状態においては、先に選択したフレーム枠２３ａの合成により得られた第一合成画像２４の合成状態は、維持されている。
【００３６】
そして、ジャッジ画面切替用ボタン２０をマウスポインタＰでクリックすると、ジャッジ画面２１（図４）に戻り、先の場合と同様に、選択したフレーム枠２３ｂと合成することを所望する原画像２２をマウスポインタＰでクリックして選択する。そうすると、その選択された原画像２２が、パソコン３内部でフレーム枠２３ｂと合成され、第一合成画像２４となってジャッジ画面２１に表示される。さらに、他の原画像２２を種類の異なるフレーム枠と合成したい場合には、上記工程を繰り返すことで該原画像２２についても他のフレーム枠との第一合成画像としてジャッジ画面２１に表示される。
【００３７】
したがって、この状態において、ジャッジ画面２１には、各原画像２２のそれぞれが、二種類以上の種類の異なるフレーム枠２３ａと合成された第一合成画像２４として複数表示されている。
【００３８】
そして、プリントした際に、その合成された原画像２２内に「●月●日●●にて」、「●●ちゃんと一緒に」等といったコメント的な任意の文字をプリントしたい場合には、リターンボタン２５をクリックして操作画面１６（図２）に戻り、文字入力用のダイアログボックスを立ち上げるように設定された文字入力ボタン２６（図２においては、「文字」と記載されたボタン）をクリックすることで、文字入力用ボックス（図示しない）に対して文字入力が可能となる。
【００３９】
文字入力用ボックスにパソコン専用キーボード１０で所望するコメント、メッセージなどの文字情報を入力した後、ジャッジ画面切替用ボタン２０をマウスポインタＰでクリックしてジャッジ画面２１（図４）に戻り、該ジャッジ画面２１上の複数の第一合成画像２４の中から、該コメント（文字情報）に対応した第一合成画像２４をマウスポインタＰで選択する。そうすると、原画像２２及びフレーム枠２３ａにより得られた第一合成画像２４と、ダイアログボックスに入力された文字情報と対応する文字画像２７（フレーム枠とは別の付属画像）とが、パソコン３内部で合成され第二合成画像２８としてジャッジ画面２１に表示される。なお、文字画像２７は、第一合成画像に対して所定位置に配置されるように合成されている。
【００４０】
また、他の第一合成画像２４に対して、異なる文字情報を入力したい場合には、操作画面１６に戻って上記工程を行うことで、それらの第一合成画像についても文字情報（文字画像）と合成された第二合成画像としてジャッジ画面２１に表示される。
【００４１】
そして、このジャッジ画面２１において、オペレーターが合成を行っていない原画像２２、前記第一合成画像２４、前記及び第二合成画像２８（以下、これらの画像を総称してジャッジ画像２９という）のそれぞれの原画像２２に相当する部分の色調や濃淡を確認し、色補正や濃淡補正が必要である場合には、ジャッジ画面２１に表示されたジャッジ画像２９のそれぞれの配置に対応して設けられた複数の補正用ボタン群３０により、ジャッジ画像２９における原画像２２に対して色補正等の補正を行う。この補正用ボタン群３０により補正された内容は、ジャッジ画面２１に表示状態にある各ジャッジ画像２９に反映されるようになっている。なお、補正用ボタン群３０は、各種補正内容に対応した複数のボタン３１、及び各補正状態を数値で表す複数の表示ボックス３２により構成されている。
【００４２】
そして、ジャッジ画面２１で表示されるサイズにおいて各ジャッジ画像２９の確認することの出来ない詳細部分については、これまで行った補正処理及び合成処理による状態を維持するように設定されたホールドボタン３３をクリックした後に、詳細な補正又は詳細部分の確認を要するジャッジ画像２９をマウスポインタＰでクリックして選択する。そうすると、図５に示す如く、拡大画面３４が立ち上がり、その選択された一枚のジャッジ画像２９が拡大表示される。
【００４３】
この拡大画面３４には、原画像２２の被写体が人である場合の赤目を補正する赤目補正用ボタン３５、原画像２２における被写体の傾きを補正する原画像回転用ボタン３６、原画像２２に特殊な加工（例えば、反転）を施す反転ボタン３７等の補正用のボタンが設けられており、原画像２２の詳細な補正を行えるようになっている。なお、該拡大画面３４においても、ジャッジ画面２１に表示された各ジャッジ画像２９と同様に、原画像２２、フレーム枠２３ａ及び文字画像２７が合成された状態で表示される。また、拡大画面３４での補正内容は、ジャッジ画面２１で表示されるジャッジ画像２９に反映されるようになっている。
【００４４】
そして、再度ジャッジ画面２１（図４）に戻り、詳細な補正を必要とする他のジャッジ画像２９を選択し、上記と同様に拡大画面３４において補正を行う。なお、各ジャッジ画像２９に対する詳細な補正は、ジャッジ画像２９の原画像２２の状態に対しオペレーターが満足するまで、ジャッジ画面２１と拡大画面３４とを切り替えて各ジャッジ画像２９（原画像２２）の詳細な補正が行われる。したがって、各ジャッジ画像２９の全ての状態を最終的に確認する際には、オペレーターは、複数のジャッジ画像２９を一画面で表示するジャッジ画面２１により確認することとなる。
【００４５】
そして、オペレーターが、ジャッジ画面２１で各ジャッジ画像２９の状態が満足できるものであると判断すると、ジャッジ画面２１のスタートボタン３８を選択することで、複数のジャッジ画像２９のそれぞれが出力される。なお、該出力としては、ジャッジ画像２９を写真としてプリントする場合と、画像データとしてメディアに記憶する場合があり、該画像処理における初期の段階で（スタート時に）、操作画面１６に設けられた出力形式選択ボタン３９をクリックして何れかに設定しておく（図１においてはメディア出力に設定されている）。
【００４６】
ジャッジ画面２１の各ジャッジ画像２９をプリントとして出力する場合には、前記スタートボタン３８の操作により、各ジャッジ画像２９に関する画像データがパソコン３、及び支持本体６に内装された制御装置を介して露光処理装置に送られる。そうすると、送られてきた画像データを基に露光処理装置が、感光材料に対して露光処理を施した後に、現像処理装置によってその感光材料が現像され、乾燥処理装置によって乾燥されて、ジャッジ画面に表示されていた形態と同一の画像が感光材料にプリントされる。
【００４７】
また、ジャッジ画面２１に表示された複数のジャッジ画像２９をメディアに出力（保存）するには、ジャッジ画面２１（図４）のスタートボタン３８をマウスポインタＰでクリックすることで、メディアドライブ２、及び外付メディアドライブ７によって各ジャッジ画像２９の画像データがメディアに記憶される。
【００４８】
以上構成からなる画像処理装置によれば、写真フィルムＦやメディアから読み込んだ画像を満足し得る状態で出力するに際し、オペレーターが確認するジャッジ画面２１に表示される複数の原画像２２を出力する形態と同一の形態で表示するようにしたので、一目で各原画像２２に対する出力形態を確認することができる。これにより、フレーム枠２３ａや文字画像２７等を所望するにも拘わらず原画像２２のみが出力されたり、原画像２２に対して、不要なフレーム枠２３ａや、誤った記載の文字画像２７等が合成された状態で出力されたりするのを防止することができる。
【００４９】
また、付属画像としてのフレーム枠２３ａに所定のデザインを施したので、原画像２２に対して装飾を施すことができ、出力した原画像２２の付加価値を向上させることができる。
【００５０】
さらに、文字入力可能に構成するとともに、該文字入力により文字情報を文字画像２７として原画像２２、及びフレーム枠２３ａの何れか一方と合成するようにしたので、プリントした画像に対する情報を付加することができ、将来においてプリントした第一合成画像２４を思い出深いものにすることができ、これにおいて出力した原画像２２の付加価値を向上させることができる。
【００５１】
また、フレーム枠２３ａ，２３ｂと合成する原画像２２を選択できるようにしたので、フレーム枠２３ａ，２３ｂの有り無しに拘わらず、ジャッジ画面２１上の全てのジャッジ画像２９を確実に確認することでき、且つこれらのジャッジ画像２９を一度の出力操作（一度のスタートボタン３８の操作）で出力することができ、作業効率を向上させることができる。
【００５２】
さらに、ジャッジ画面２１に表示した原画像２２のそれぞれに対して、種類の異なるフレーム枠２３ａ，２３ｂを合成できるようにし、各ジャッジ画像２９の出力形態をジャッジ画面２１の一画面で表示するようにしたので、フレーム枠２３ａ，２３ｂ毎に出力形態を確認するための画面の切り替え操作や、フレーム枠２３ａ，２３ｂ毎に出力する必要がなく、作業効率を向上させることができる。
【００５３】
尚、本発明の写真処理装置は、上記実施形態に限定されるものではなく、本発明の要旨を逸脱しない範囲内において種々変更を加え得ることは勿論である。
【００５４】
本実施形態において、原画像２２と合成する付属画像として予め用意したフレーム枠２３ａ、及び文字入力により得られる任意の文字画像２７を用意したが、付属画像はこれに限定されるものではなく、例えば、キャラクターなどのワンポイント的な画像や、観光名所の地名や定型文などの予め設定した文字画像であってもよい。また、これらの付属画像は、予め用意したものに限定されるものではなく、別途メディアから読み込んだ（入力された）ものであってもよい。該ワンポイント的な画像とともにフレーム枠を一緒に用意しても勿論よい。
【００５５】
本実施形態において、ジャッジ画面２１と操作画面１６とを切り替えて、各原画像２２に対するフレーム枠２３ａを選択するようにしたが、これに限定するものではなく、例えば、ジャッジ画面２１に表示される複数の原画像２２（ジャッジ画像２９）のそれぞれに対応して複数のフレーム選択ボタン１８を設けるようにしてもよい。このようにすれば、ディスプレイ５の画面を切り替えることなく、ジャッジ画面２１に表示される原画像２２のそれぞれに対応したフレーム選択ボタン１８を操作するだけで、所望する原画像２２に対して付属画像２３ａ，２３ｂを合成し、その合成画像をジャッジ画面２１に表示することができる。
【００５６】
また、特別にフレーム選択ボタン１８を設けずに、フレーム枠２３ａ，２３ｂを所望する原画像２２の所定位置（例えば、角部）をマウスポインタＰでクリックすることでフレーム枠２３ａ，２３ｂが、原画像２２と合成された状態で、表示されるようにしてもよい。この場合においても、前記所定位置を繰り返しクリックすることで、フレーム枠２３ａ，２３ｂの種類が切り替わるように設定しても勿論よい。このような構成は、原画像２２の詳細部分を確認及び補正を行う拡大画像３４においても採用することができる。
【００５７】
本実施形態において、操作画面１６でフレーム枠２３ａ，２３ｂを選択した後に、ジャッジ画面２１にて該フレーム枠２３ａ，２３ｂと合成する原画像２２を選択するようにしたが、これに限定されるものではなく、例えば、フレーム枠２３ａ，２３ｂと合成させる原画像２２をジャッジ画面２１で選択した後に、該原画像２２と合成するフレーム枠２３ａ，２３ｂを選択するようにしても勿論よい。この場合においても、該合成状態がジャッジ画面２１に表示されるジャッジ画像２９に反映して表示されることは勿論のことである。
【００５８】
また、本実施形態において、付属画像としてのフレーム枠２３ａ，２３ｂを複数種類用意したが、フレーム枠は、一種類以上用意すればよい。
【００５９】
本実施形態において、ジャッジ画面２１に表示された複数の原画像２２からフレーム枠２３ａ，２３ｂと合成する原画像２２を選択するようにしたが、これに限定されるものではなく、例えば、ジャッジ画面２１に表示された複数の原画像２２の全てに対して同一種類のフレーム枠を合成し、該フレーム枠を所望しない原画像２２が出力されないように、該原画像２２に対してパス設定できるように構成し、該フレーム枠と合成したい原画像２２のみを出力するようにしてもよい。この場合、パス設定された原画像２２に対して他のフレーム枠を合成したい場合には、改めてジャッジ画面２１に表示された複数の原画像２２の全てに対して他のフレーム枠を合成し、先のフレーム枠と合成して出力された原画像２２に対してパス設定し、他のフレーム枠と合成したい原画像２２のみを出力するようにすればよい。
【００６０】
本実施形態において、複数種類のフレーム枠２３ａ，２３ｂのそれぞれに対し、横構図用のフレーム枠、及び縦構図用のフレーム枠を用意し、オペレーターが原画像に対応してフレーム枠の種類を選択するようにしたが、これに限定されるものではなく、例えば、アプリケーションを、原画像２２の構図の状態を判断可能にプログラムするとともに、選択したフレーム枠を原画像２２の構図に対応させて縦横比を変倍するようにプログラムしたものを採用し、このような処理の施されたフレーム枠と原画像２２とを合成するようにしてもよい。ただし、フレーム枠にキャラクター等の図柄が含まれている場合には、フレーム枠をただ単に変倍すると、キャラクターの形態が歪んだ状態となるので、アプリケーションをキャラクターの歪みを補正できるようにプログラムすることが好ましい。
【００６１】
【発明の効果】
以上、説明したように本発明にかかる画像処理装置によれば、一画面で表示される複数の原画像のうち、合成処理の対象とされた原画像が、付属画像と合成された状態で表示されるようにしたので、入力した原画像を出力する前に、該原画像の出力形態を容易且つ確実に確認することができ、原画像が所望する形態と異なった形態で出力されるのを防止することができる。
【図面の簡単な説明】
【図１】本発明の一実施形態にかかる画像処理装置に全体正面図を示す。
【図２】同実施形態にかかる画像処理装置のディスプレイに表示される操作画面を示す。
【図３】同実施形態にかかる画像処理装置のディスプレイに表示されるジャッジ画面であって、読み込んだ複数の原画像を表示した状態を示す。
【図４】同実施形態にかかる画像処理装置のディスプレイに表示されるジャッジ画面であって、一部の原画像に合成処理を施した状態を示す。
【図５】同実施形態にかかる　同実施形態にかかる画像処理装置のディスプレイに表示される拡大画面を示す。
【符号の説明】
１…スキャナー装置、２…メディアドライブ、３…パーソナルコンピュータ（パソコン）、４…入力手段、５…ディスプレイ、６…支持本体、７…外付メディアドライブ、８…筐体、９…載置板、１０…パソコン専用キーボード、１１…マウス、１２…ショートカット用キーボード、１３…天板、１４…支持体、１５…収容部、１６…操作画面、１７…選択ボタン、１８…フレーム選択ボタン、１９…プレビュー、２０…ジャッジ画面切替用ボタン、２１…ジャッジ画面、２２…原画像、２３ａ，２３ｂ…フレーム枠（付属画像）、２４…第一合成画像、２５…リターンボタン、２６…文字入力ボタン、２７…文字画像、２８…第二合成画像、２９…ジャッジ画像、３０…補正用ボタン群、３１…ボタン、３２…表示ボックス、３３…ホールドボタン、３４…拡大画面、３５…赤目補正用ボタン、３６…原画像回転用ボタン、３７…反転ボタン、３８…スタートボタン、３９…出力形式選択ボタン、Ｆ…写真フィルム、Ｐ…マウスポインタ
【図１】
2004146912.tif 000003
【図２】
2004146912.tif 000004
【図３】
2004146912.tif 000005
【図４】
2004146912.tif 000006
【図５】
2004146912.tif 000007